(57)【要約】 【課題】  操作部の端部が押されたときにも確実にスイッチ素子を押圧する。【解決手段】  膨出した操作部７２ａの周囲に係止部７２ｃが張り出し形成されていると共に、操作部７２ａの内側に押圧子７２ｂが形成され、外筐３５の内側からこの外筐３５に形成された開口部より操作部７２ａが外部に臨むように配設される操作ボタン７２と、外筐３５内の主部材に配設され、押圧子７２ｂに押圧されるスイッチ素子７３ａが実装されたスイッチ基板７３と、外筐３５内において、操作ボタン７２とスイッチ基板７３との間に配設され、操作ボタン７２を操作部７２ａが開口部より外部に突出する方向に付勢する弾性体７４とを備える。弾性体７４は、操作部７２ａ側が大径部７４ａとされ、スイッチ基板７３側が小径部７４ｂとなるように形成されている。【選択図】  図１３
2006164576.tif 000002
【特許請求の範囲】
【請求項１】
膨出した操作部の周囲に係止部が張り出し形成されていると共に、上記操作部の内側に押圧子が形成され、外筐の内側からこの外筐に形成された開口部より上記操作部が外部に臨むように配設される操作ボタンと、
上記外筐内の主部材に配設され、上記押圧子に押圧されるスイッチ素子が実装された配線基板と、
上記外筐内において、上記操作ボタンと上記配線基板との間に配設され、上記操作ボタンを上記操作部が上記開口部より外部に突出する方向に付勢する弾性体とを備え、
上記弾性体は、上記操作部側が大径部とされ、上記配線基板側が小径部となるように形成されていることを特徴とする押しボタン機構。
【請求項２】
上記配線基板上には、上記弾性体の受け部材が配設されることを特徴とする請求項１記載の押しボタン機構。
【請求項３】
上記操作部は、縦長又は横長に形成されていることを特徴とする請求項１記載の押しボタン機構。
【請求項４】
記録媒体が装着される記録媒体装着部が設けられている装置本体と、
上記装置本体にヒンジを介して回動可能に取り付けられ、上記記録媒体装着部を開閉する蓋体と、
上記装置本体の一側面に設けられる押しボタン機構とを備え、
上記押しボタン機構は、膨出した操作部の周囲に係止部が張り出し形成されていると共に、上記操作部の内側に押圧子が形成され、上記装置本体の外筐の内側からこの外筐に形成された開口部より上記操作部が外部に臨むように配設される操作ボタンと、
上記外筐内のベースユニットに配設され、上記押圧子に押圧されるスイッチ素子が実装された配線基板と、
上記外筐内において、上記操作ボタンと上記配線基板との間に配設され、上記操作ボタンを上記操作部が上記開口部より外部に突出する方向に付勢する弾性体とを備え、
上記弾性体は、上記操作部側が大径部とされ、上記配線基板側が小径部となるように形成されていることを特徴とする記録及び／又は再生装置。
【請求項５】
上記配線基板上には、上記弾性体の受け部材が配設されることを特徴とする請求項４記載の記録及び／又は再生装置。
【請求項６】
上記操作部は、縦長又は横長に形成されていることを特徴とする請求項４記載の記録及び／又は再生装置。
【請求項７】
上記装置本体の主面の一方に偏倚した位置には、撮像部が設けられ、上記一側面は、上記主面に隣り合う側面であり、上記押しボタン機構は、この一側面の他方に偏倚した位置に設けられていることを特徴とする請求項４記載の記録及び／又は再生装置。
【請求項８】
上記押しボタン機構が設けられる装置本体の一側面は、上記蓋体のヒンジが設けられている面であることを特徴とする請求項４記載の記録及び／又は再生装置。
【発明の詳細な説明】
【技術分野】
【０００１】
本発明は、押しボタン機構及びこれを備えた記録及び／又は再生装置に関する。
【背景技術】
【０００２】
ディスクカートリッジ等を記録媒体に用いる小型の記録及び／又は再生装置や小型のディジタルスチルカメラ等の小型の電気機器には、種々の操作ボタン機構が設けられている。例えば、ディジタルスチルカメラのシャッタボタンは、シャッタチャンスを逃さないようにするためにも、指で確実に押圧操作することができる必要がある。
【０００３】
この種の押しボタン機構は、具体的に、筐体内部から操作部が外部に突出するように配設される操作ボタンと、この操作ボタンを筐体の外側に膨出する方向に付勢するコイルバネと、押しボタンの内面に設けられた押圧子に押圧されるプリント配線基板に実装されたスイッチ素子とから構成されている。
【０００４】
操作ボタンは、ユーザの指により直接操作される部材であるから、指で確実に押圧することができる程度の大きさに操作部が設けられている必要がある。しかしながら、例えば、ユーザにより操作部の端部が押圧操作されたとき、押しボタンは、直下に沈み込むのではなく、斜めに沈み込んでしまい、押圧子でプリント配線基板のスイッチ素子を押圧することができないことがある。この押しボタン機構がカメラのシャッタボタンである場合、ユーザはシャッタチャンスを逃してしまうことになる。
【０００５】
すなわち、押しボタンは、指等で容易且つ確実に押圧操作することができる大きさが必要である一方で、操作部の端部が押されたときには、斜めに沈み込み、スイッチ素子を押圧することができなく場合がある。
【０００６】
また、小型の電気機器に使用される押しボタン機構は、機器全体の小型化が求められていることから、機構そのものの小型化が求められる。
【０００７】
【特許文献１】特開平１１−２８３４５８号公報
【発明の開示】
【発明が解決しようとする課題】
【０００８】
本発明は、以上のような問題点に鑑みてなされたものであり、操作部の端部が押されたときにも確実にスイッチ素子を押圧することができる押しボタン機構及びこれを備えた記録及び／又は再生装置を提供することを目的とする。
【０００９】
また、本発明は、装置全体の小型化や薄型化に寄与し得る押しボタン機構及びこれを備えた記録及び／又は再生装置を提供することを目的とする。
【００１０】
更に、本発明は、筐体側に操作ボタンを配し、筐体内の主部材にスイッチ素子が実装された配線基板を配するようにすることで、容易に組み立てることができる押しボタン機構及びこれを備えた記録及び／又は再生装置を提供することを目的とする。
【課題を解決するための手段】
【００１１】
本発明に係る押しボタン機構は、膨出した操作部の周囲に係止部が張り出し形成されていると共に、上記操作部の内側に押圧子が形成され、外筐の内側からこの外筐に形成された開口部より上記操作部が外部に臨むように配設される操作ボタンと、上記外筐内の主部材に配設され、上記押圧子に押圧されるスイッチ素子が実装された配線基板と、上記外筐内において、上記操作ボタンと上記配線基板との間に配設され、上記操作ボタンを上記操作部が上記開口部より外部に突出する方向に付勢する弾性体とを備える。上記弾性体は、上記操作部側が大径部とされ、上記配線基板側が小径部となるように形成されている。
【００１２】
また、本発明に係る記録及び／又は再生装置は、記録媒体が装着される記録媒体装着部が設けられている装置本体と、上記装置本体にヒンジを介して回動可能に取り付けられ、上記記録媒体装着部を開閉する蓋体と、上記装置本体の一側面に設けられる押しボタン機構とを備える。上記押しボタン機構は、膨出した操作部の周囲に係止部が張り出し形成されていると共に、上記操作部の内側に押圧子が形成され、上記装置本体の外筐の内側からこの外筐に形成された開口部より上記操作部が外部に臨むように配設される操作ボタンと、上記外筐内のベースユニットに配設され、上記押圧子に押圧されるスイッチ素子が実装された配線基板と、上記外筐内において、上記操作ボタンと上記配線基板との間に配設され、上記操作ボタンを上記操作部が上記開口部より外部に突出する方向に付勢する弾性体とを備える。上記弾性体は、上記操作部側が大径部とされ、上記配線基板側が小径部となるように形成されている。
【発明の効果】
【００１３】
本発明によれば、弾性体は、上記操作部側が大径部とされ、上記配線基板側が小径部となるように形成されているので、大径部で操作ボタンに加わった押圧力を受けることができ、これにより、例えば斜めに操作ボタンが押されたときでも確実に押圧子で配線基板のスイッチ素子を押圧することができる。また、弾性体は、一端側が大径部で他端側が床警部であるから、一端から他端に亘って同径のコイルバネに比べて収縮時の厚さを薄くすることができ、これによって、装置全体の小型化を図ることができる。
【発明を実施するための最良の形態】
【００１４】
以下、本発明を適用したディスクカートリッジのディスク記録再生装置を図面を参照して説明する。
【００１５】
図１に示すように、本発明を適用したディスク記録再生装置１０は、光磁気ディスク２を略矩形のカートリッジ本体３内に回転可能に収納したディスクカートリッジ１を記録媒体に用いる装置であり、このディスクカートリッジ１と略同じ大きさにまで小型化されている。このディスクカートリッジ１は、一対のハーフを突き合わせ結合したカートリッジ本体３に、光磁気ディスク２を回転可能に収納している。記録媒体となる光磁気ディスク２の中心部には、ディスク記録再生装置側のディスク回転駆動機構を構成するディスクテーブルが係合するセンタ孔が設けられると共に、このセンタ孔を閉塞するようにしてディスクテーブルに内蔵されたマグネットに磁気吸引されるクランピングプレート２ａが取り付けられている。
【００１６】
この光磁気ディスク２を回転可能に収納するカートリッジ本体３には、前面側略中央の互いに対向する面に、光磁気ディスク２の信号記録領域の一部を径方向に亘って外部に臨ませる記録再生用の開口部４ａ，４ｂが形成されている。一方の開口部４ａは、光磁気ディスク２の光磁気記録層に対して磁界を印加する磁気ヘッドをカートリッジ本体３内部に進入させるためのものであり、他方の開口部４ｂは、光ピックアップを光磁気ディスク２に臨ませるためのものである。
【００１７】
カートリッジ本体３の前面３ａ側には、記録再生用の開口部４ａ，４ｂを開閉するための断面略Ｃ字状のシャッタ部材５がスライド可能に取り付けられている。このシャッタ部材５は、ディスク記録再生装置１０に装填されたときに限って、記録再生用の開口部４ａ，４ｂを開放し、非使用時には開口部４ａ，４ｂを閉塞する。カートリッジ本体３の下面中央部には、光磁気ディスク２のクランピングプレート２ａを外部に臨ませる略円形のディスク駆動用の開口部６が設けられている。ディスクカートリッジ１がディスク記録再生装置１０に装填されたとき、この開口部６からは、ディスクテーブルが進入し、光磁気ディスク２のセンタ孔には、ディスクテーブルが係合すると共に、クランピングプレート２ａがディスクテーブルに磁気吸引される。
【００１８】
以上のようなディスクカートリッジ１は、カートリッジ本体３の前面と直交する一側面３ｂを挿入端として、ディスク記録再生装置１０に装填される。すると、シャッタ部材５は、ディスクカートリッジ１の挿入方向と同方向に、カートリッジ本体３の前面３ａに沿ってスライドし、記録再生用の開口部４ａ，４ｂを開放し、光磁気ディスク２の記録再生の可能な状態にする。
【００１９】
なお、カートリッジ本体３内に収納する記録媒体としては、光磁気ディスク２の他に、ピットパターンによってデータが予め記録された再生専用の光ディスク、記録層に有機色素材料を用いデータの追記を可能とする追記型の光ディスク、記録層に相変化材料を用いデータの書換を可能とする書換型の光ディスク等を用いるようにしても良い。
【００２０】
以上のようなディスクカートリッジ１を記録媒体に用いるディスク記録再生装置１０について図１乃至図３を参照して説明する。このディスク記録再生装置１０は、ディスクカートリッジ１が装着される装置本体１１と、この装置本体１１に対して回動可能に取り付けられる蓋体１２とを備え、蓋体１２が開いた状態にあるとき、ディスクカートリッジ１の挿脱を行うことができるようになっている。
【００２１】
装置本体１１には、その主面部１１ａに、撮像部１３が設けられている。この撮像部１３は、一方の側面部１１ｂ側に偏倚した位置に設けられており、外部に臨まされたレンズ部１３ａがカバーシャッタ１４により閉塞されている。このカバーシャッタ１４は、捻りコイルバネにより、撮像部１３を閉塞する方向と開く方向の２方向に付勢されており、使用時に限ってユーザの手により開かれるようになっている。カバーシャッタ１４は、撮像部１３の使用時以外のときには閉塞されるようにすることで、レンズ部１３ａ等に塵埃、指紋等の異物が付着しないようにしている。なお、この撮像部１３は、レンズ部１３ａの他に、ミラー部１３ｂとフラッシュ用のＬＥＤ（Light Emitting Diode）等で構成された発光部１３ｃが設けられている。
【００２２】
また、装置本体１１には、撮像部１３が設けられた一方の側面部１１ａと反対側の他方の側面部１１ｃ側であって、蓋体１２のヒンジが設けられた背面部１１ｄには、シャッタボタン１５と電源ボタン１６が設けられている。この装置本体１１では、シャッタボタン１５と撮像部１３のレンズ部１３ａの位置を反対側に設けるようにすることで、撮影時に、シャッタボタン１５を押す側の手がレンズ部１３ａに映り込まないようにしている。
【００２３】
また、装置本体１１の撮像部１３が設けられた側の側面部１１ｂには、背面部１１ｄ側に、イヤホン、ヘッドホン等の電気音響変換器の接続コードが接続される第１のジャック部１７が設けられている。また、この側面部１１ｂと反対側の側面部１１ｃには、操作部の一部である音響信号を聞くときの音量ボタン１８やパーソナルコンピュータ等の情報処理装置からオーディオデータ等のコンテンツデータをダウンロードする際のダウンロードボタン１９が設けられている。更に、この側面部１１ｃの前面部１１ｅ側には、電源となる二次電池等が収納されるバッテリ収納部を開閉するバッテリ蓋２０が設けられている。
【００２４】
装置本体１１の前面部１１ｅには、蓋体１２を閉塞状態に維持するためのロック機構が設けられると共に、このロック機構に連携した蓋体１２のロック解除をするための蓋体１２のロック解除スライダ２１が設けられている。また、この装置本体１１の前面部１１ｅの他方の側面部１１ｃ側には、パーソナルコンピュータ等からオーディオデータ等のコンテンツデータをダウンロードするための接続コードが接続される第２のジャック部２２が設けられている。更に、この装置本体１１の前面部は、充電時等に装置本体１１を立てかけるスタンドに装着する際の位置決め凹部２３が略対称位置に２カ所設けられている。
【００２５】
以上のような装置本体１１に取り付けられる蓋体１２は、装置本体１１の背面部１１ｄ側をヒンジとし、このヒンジを回動支点として回動操作される。この蓋体１２の主面部１２ａには、図３に示すように、撮像部１３が設けられた一方の側面部１１ｂ側、ＬＣＤ（Liquid Crystal Display）等で構成された表示部２４と、装置本体１１を操作する操作部２５が設けられている。表示部２４には、ディスクカートリッジ１に保存されているオーディオデータの再生中にあっては、再生時間、再生中のトラックナンバ、タイトル名等の再生中のオーディオデータに関連する関連データが表示され、また、撮像部１３で被写体を撮像するときには撮像部１３が撮影している映像が表示される。この表示部２４の下側に設けられる操作部２５は、この装置の主機能を実行するためのメインとなる操作部であり、回転スイッチ２５ａの中央部に４方向に傾倒するレバースイッチ２５ｂが設けられている。この操作部２５では、例えば、ディスクカートリッジ１に保存された複数のオーディオデータや画像データの中から所望のオーディオデータや画像データを選択し、また、選択したオーディオデータの再生開始や停止、順方向又は逆方向トラックジャンプ操作等を行うことができる。
【００２６】
以上のようなディスク記録再生装置１０の内部構成について図４を参照して説明すると、ディスク記録再生装置１０を構成する装置本体１１は、ディスクカートリッジ１が装着される装着部３１が構成されるベースユニット３２と、このベースユニット３２と、このベースユニット３２に重ね合わされるように取り付けられ、主としてディスクカートリッジ１の記録再生回路等が設けられた第１のプリント配線基板３３と、主として撮像部１３の画像処理回路等が設けられた第２のプリント配線基板３４と、装置本体１１を構成する外筐３５と、ベースユニット３２に取り付けられ外筐３５と共に外装の一部を構成する帯状部材３６とから構成されている。
【００２７】
ディスクカートリッジ１が装着される装着部３１が構成されるベースユニット３２は、図４及び図５に示すように、略矩形のフレーム３７に、ディスク回転駆動機構４１や光ピックアップ４３が配設された記録再生ユニット３８が取り付けられてなる。この記録再生ユニット３８は、フレーム３７に取り付けられる取付板３９を有する。この取付板３９は、一方の面がディスクカートリッジ１が装着される装着部の一部を構成する。取付板３９には、ディスクカートリッジ１の光磁気ディスク２が装着されるディスク回転駆動機構４１が、フレーム３７に囲まれた領域の略中央部に位置するように設けられている。このディスク回転駆動機構４１は、取付板３９の裏面に取り付けられ、駆動軸を取付板３９の表面に突出させるように取り付けられたスピンドルモータ４１ａと、このスピンドルモータ４１ａの駆動軸に取り付けられ、光磁気ディスク２のセンタ孔に係合すると共にクランピングプレート２ａを磁気吸引するディスクテーブル４１ｂとから構成されている。装着部３１にディスクカートリッジ１が装着されたとき、ディスクテーブル４１ｂは、カートリッジ本体３の開口部６より進入し、クランピングプレート２ａを磁気吸引すると共に光磁気ディスク２のセンタ孔に係合することによって、光磁気ディスク２が回転可能な状態に装着されることになる。そして、ディスク回転駆動機構４１は、光磁気ディスク２に情報信号を記録し又は光磁気ディスク２に記録された情報信号の再生を行うとき、光磁気ディスク２を線速度又は角速度が一定となるように回転する。なお、駆動源となるスピンドルモータ４１ａは、取付板３９の裏面に固定板４１ｃによってねじ等で固定されている。
【００２８】
また、取付板３９には、ディスクテーブル４１ｂの位置から他方の側縁に向かって略矩形の光ピックアップ用開口部４２が設けられ、この光ピックアップ用開口部４２内に、光ピックアップ４３が配設される。この光ピックアップ４３は、半導体レーザ、対物レンズ４３ａ、光検出器等からなる光学ブロックを有する。この光学ブロックは、半導体レーザから出射された光ビームを対物レンズ４３ａで集光し光磁気ディスク３に照射すると共に光磁気ディスク２で反射された戻りの光ビームを光検出器で検出する。光ピックアップ４３は、更に、対物レンズ４３ａをフォーカシング方向とトラッキング方向に変位させる対物レンズ駆動機構が設けられ、光ビームを常に光磁気ディスク２の信号記録面に合照させるようにしている。
【００２９】
この光ピックアップ４３は、取付板３９の裏面に配設された送り機構４４によって、開口部３２内を、ディスクテーブル４１ｂに装着された光磁気ディスク２の径方向に移動される。この送り機構４４は、ディスク回転駆動機構４１の背面側に配設されており、駆動源となるモータ４４ａと光ピックアップ４３に係止され、光ピックアップ４３を移動する送りねじ４４ｂとが複数のギヤ列によって接続されている。具体的に、この送り機構４４は、モータ４４ａの駆動軸に取り付けられた駆動ギヤ４４ｃに、取付板３９に軸支された伝達ギヤ４４ｄが噛合され、更に、この伝達ギヤ４４ｄのギヤ部４４ｅに取付板３９に取り付けられたウォーム４４ｆが噛合され、このウォーム４４ｆが送りねじ４４ｂに取り付けられたピニオンギヤ４４ｇに噛合されている。送り機構４４は、モータ４４ａを正転又は逆転駆動することによって、このようなギヤ列を介して送りねじ４４ｂを回転して、光ピックアップ４３を光磁気ディスク２の径方向に移動させることになる。なお、光ピックアップ４３は、更に、一端が光ピックアップ用開口部４２に沿って設けられたガイド溝４４ｈに係合されることによって、移動ガイドされている。
【００３０】
送り機構４４に移動される光ピックアップ４３は、更に、装置本体２１の背面側において、連結部材４５を介して磁気ヘッド機構４６が取り付けられている。この磁気ヘッド機構４６は、ヘッド支持アーム４６ａの先端部に磁気ヘッド素子を内蔵したヘッドスライダ４６ｂが取り付けられてなる。このヘッドスライダ４６ｂは、光ビームにより加熱された領域に磁界を印加することができるように、光ピックアップ４３の対物レンズ４３ａに対向するように位置される。
【００３１】
ベースユニット３２を構成するフレーム３７内には、以上のようなディスク回転駆動機構４１、光ピックアップ４３、送り機構４４が配設された取付板３９と共に、バッテリケース４７が取り付けられる。このバッテリケース４７は、フレーム３７内に取り付けられたとき、一方の主面が取付板３９と共にディスクカートリッジ１の装着部３１を構成する。このバッテリケース４７は、フレーム３７内の前面側に配設される。なお、取付板３９は、フレーム３７内の背面側に寄せて配設される。バッテリケース４７は、内部に略矩形のリチウムイオン二次電池等の充電型電池が収納されるバッテリ収納部が構成されており、バッテリ収納部に連続したバッテリの挿脱口は、フレーム３７に取り付けられたバッテリ蓋２０によって開閉されることになる。
【００３２】
また、上述した取付板３９の背面側の両側には、図５及び図６に示すように、装着部３１に装着するディスクカートリッジ１を保持するカートリッジホルダ５１が回動可能に取り付けられる。このカートリッジホルダ５１は、図６に示すように、主面部５１ａの両側にディスクカートリッジ１の前面３ａ側と背面側３ｃを保持するカートリッジ保持部５１ｂ，５１ｃが設けられ、前面側がディスクカートリッジ１の挿脱口となっている。このカートリッジホルダ５１は、前面側のディスクカートリッジ１の挿脱口とは反対側の背面側に、取付板３９の背面側の両側に設けられた支持片５２，５２に軸支されることによって、取付板３９に対して回動可能に取り付けられている。
【００３３】
カートリッジホルダ５１の主面部５１ａには、上述した光ピックアップ４３に連結部材４５を介して背面側で連結された磁気ヘッド機構４６を構成するヘッド支持アーム４６ａが背面側から前面側に向かって延在されている。ヘッド支持アーム４６ａの先端部に取り付けられているヘッドスライダ４６ｂは、主面部５１ａに設けられた磁気ヘッド用開口部５３よりカートリッジホルダ５１内に臨まされる。
【００３４】
以上のようなカートリッジホルダ５１は、フレーム３７に支軸５４ａ，５４ａによって回動可能に取り付けられた設けられた一対の回動アーム５４，５４により支持される。すなわち、カートリッジ保持部５１ｂ，５１ｃの外側に突出して形成された係合片５５，５５が回動アーム５４，５４に形成された係合孔５６，５６に係合されることによって回動操作される。
【００３５】
ここで、フレーム３７内の部品配置について、図５を参照して説明すると、このフレーム３７内には、ディスクカートリッジ１の記録再生を行うため、略中央部に、ディスク回転駆動機構４１が設けられ、その一方の横側に、光ピックアップ４３が配設されている。また、ディスク回転駆動機構４１の背面には、光ピックアップ４３の送り機構４４が配設され、ディスク回転駆動機構４１の前面側には、バッテリケース４７が配設されている。そこで、このフレーム３７内には、光ピックアップ４３とディスク回転駆動機構４１を挟んだ反対側に、撮像部１３を構成する撮像ユニット５７が配設されることになる。
【００３６】
以上のように構成されたベースユニット３２には、図４に示すように、フレーム３７と略同じ大きさの略矩形をなす第１のプリント配線基板３３が配設される。この第１のプリント配線基板３３は、リジッドな基板であり、主として、ディスクカートリッジ１の記録や再生をするための再生回路、記録回路等が組み込まれている。また、この第１のプリント配線基板３３には、第１のジャック部１７及び第２のジャック部２２が実装されている。この第２のジャック部２２は、外筐３５の前面に設けられた取付孔３５ｃより外部に臨まされる。
【００３７】
光磁気ディスク２は、光ピックアップ４３で光ビームを照射して加熱しながら磁気ヘッドによって磁界を印加して記録するものである。また、光磁気ディスク２は、高密度記録に対応したものであり、これに伴い、記録電流チョッパー周波数が１８．５４ＭＨｚ（電流量約２４０ｍＡ）と極めて高くなり、この不要輻射ノイズも記録周波数の１０〜３０倍程度と極めて大きくなる。そこで、第１のプリント配線基板３３において、記録回路３３ａは、磁気ヘッド機構４６になるべく近い位置、すなわち背面側に設けられてている。また、この記録回路３３ａとカートリッジホルダ５１側に配設されるヘッドスライダ４６ｂの磁気ヘッド素子とは、記録用フレキシブル配線基板５８によって接続されることになるが、この記録用フレキシブル配線基板５８は、記録回路３３ａが背面側に設けられることによって短いものとすることができる。なお、第１のプリント配線基板３３は、フレーム３７にねじ等で固定される。
【００３８】
また、この第１のプリント配線基板３３上には、全体としてフレーム３７と略同じ大きさをなすと共に撮像ユニット５７が配設される位置が切欠部３４ａとなされた第２のプリント配線基板３４が配設される。この第２のプリント配線基板３４は、リジッドな基板であり、主として撮像部１３の画像処理回路等が設けられている。上述したように、第１のプリント配線基板３３は、記録回路３３ａ等が設けられており、不要輻射ノイズが多く放射されることになる。そこで、この第２のプリント配線基板３４は、導電層を多層に設け、電子部品を片面実装とし、第１のプリント配線基板３３側を、グランド層３４ｂとし、画像処理回路等が不要輻射ノイズにより誤動作等をしないようにしている。なお、第２のプリント配線基板３４は、ねじ等でフレーム３７に固定される。そして、外筐３５は、第２のプリント配線基板３４を覆うようにしてフレーム３７にねじ等で取り付けられることになる。また、この第２のプリント配線基板３４には、撮像ユニット５７を避けるために切欠部３４ａが形成されている。
【００３９】
一方、蓋体１２は、図４に示すように、フレーム３７に回動可能に取り付けられた一対の回動アーム５４，５４にねじ等で取り付けられる。したがって、ベースユニット３２を構成する取付板３９に回動可能に取り付けられカートリッジホルダ５１は、カートリッジ保持部５１ｂ，５１ｃに形成された係合片５５，５５が回動アーム５４，５４に形成された係合孔５６，５６に係合されていることにより、回動アーム５４，５４に固定された蓋体１２と共に回動することになる。
【００４０】
ここで、図５を参照して、蓋体１２側の備品配置について説明すると、カートリッジホルダ５１の主面部５１ａに背面側から前面側に延在された磁気ヘッド機構４６は、送り機構４４によって移動される光ピックアップ４３と同期して光磁気ディスク２の径方向に移動されることになる。したがって、蓋体１２とカートリッジホルダ５１の主面部５１ａとの間において、磁気ヘッド機構４６の移動領域には、更なる電子部品を配設することができない。そこで、磁気ヘッド機構４６の移動領域とはならない撮像ユニット５７の裏面側には、撮像ユニット５７で撮像した画像を表示する表示部２４を構成するＬＣＤ等の表示素子２４ａが配設されることになる。具体的に、表示素子２４ａは、蓋体１２の所定位置にねじ等で固定される。
【００４１】
ところで、この撮像部１３を構成する撮像ユニット５７は、図７に示すように、ベースユニット３２を構成するフレーム３７に設けられた取付部６１に取り付けられる。ここで、この取付部６１に取り付けられる撮像ユニット５７は、図７に示すように、略矩形をなし、その内部に、撮像素子となるＣＣＤ（Charge-Coupled Devices）素子、ＣＭＯＳ（Complementary Metal-Oxide Semiconductor）センサ等が内蔵されている。撮像ユニット５７は、表面部５７ａに複数のレンズ群で構成されたレンズ部１３ａが外部に臨まされている。この撮像ユニット５７の短辺側の一方の側面部５７ｂには、レンズ部１３ａのフォーカス制御等を行うための制御線等を接続する端子部５７ｃが設けられている。具体的に、この端子部５７ｃは、画像処理回路等が組み込まれた第２のプリント配線基板３４と電気的に接続する制御用フレキシブル配線基板５９が半田付け等で電気的に接続されている。更に、撮像ユニット５７の裏面部５７ｄには、撮像素子で撮像された画像データを第２のプリント配線基板３４に構成された画像処理回路等に転送するための端子部５７ｅが設けられ、この端子部５７ｅは、第２のプリント配線基板３４の画像処理回路等と電気的に接続する画像用フレキシブル配線基板６０が半田付け等によって電気的に接続されている。以上のように構成された撮像ユニット５７には、裏面部５７ｄと裏面部５７ｄと側面部５７ｂとに隣接した長辺側の側面部５７ｆに亘ってシート状の第１の弾性材５７ｇが接着剤等で貼り合わされる。この第１の弾性材５７ｇは、裏面部５７ｄに設けられた端子部５７ｅを覆うように貼り合わされることで絶縁シートとしても機能する。
【００４２】
以上のように構成された撮像ユニット５７が取り付けられる取付部６１は、装置本体１１の一方の側面部１１ｂ側の側縁部に沿って設けられており、この側縁部側が開放され、この側縁部と対向するように第１の位置規制片６２が立設され、更に、この背面側に第２の位置規制片６３が立設されて構成されている。この取付部６１は、その底面部６４が撮像ユニット５７の裏面部５７ｄが突き当てられる部分となり、第１の位置規制片６２が長辺側の側面部５７ｆが突き当てられる部分となり、第２の位置規制片６３が短辺側の側面部５７ｂがとき当てられる部分となる。第２の位置規制片６３には、更に第２の弾性材６５が接着剤等で貼り合わされている。第２の位置規制片６３に突き合わされる撮像ユニット５７の側面５７ｂには、上述した端子部５７ｃが設けられている。この第２の弾性材６５は、端子部７７ｃと第２の位置規制片６３との間の絶縁シートとしても機能する。
【００４３】
すなわち、取付部６１が設けられるフレーム３７は、装置本体１１の基準部材となるものであるため機械的強度があり変形しづらい金属板を打ち抜き折曲して形成されるものであるから導電性を有し、フレーム３７に一体の取付部６１も導電性を有することになる。そこで、撮像ユニット５７の裏面部５７ｄに位置する第１の弾性材５７ｇは、端子部５７ｅと底面部６４との間の電気的な絶縁シートとして機能し、第２の位置規制片６３に取り付けられる第２の弾性材６５は、端子部７７ｃと第２の位置規制片６３との間の絶縁シートとしても機能する。
【００４４】
撮像ユニット５７は、以上のような取付部６１に取り付けられると、その上側に、外筐３５が位置し、レンズ部１３ａ上には、外筐３５に設けられたレンズ孔６６が位置することになる。
【００４５】
ところで、撮像ユニット５７のレンズ部１３ａと外筐５のレンズ孔６６は、正確に位置が一致していないと、画角が狭くなったり、レンズ孔６６の周囲が画像データに移り込んでしまうことになる。そこで、外筐３５の裏面には、位置決め部材６７が取り付けられている。この位置決め部材６７は、フレーム３７の取付部６１に挿入された撮像ユニット５７の表面部５７ａを押圧する平坦な押圧部６７ａと、撮像ユニット５７を第１の位置規制片６２の方向に押圧する第１の位置決め突起６７ｂと、撮像ユニット５７を第２の位置規制片６３の方向に押圧する第２の位置決め突起６７ｃとが設けられている。第１の位置決め突起６７ｂは、第１の位置規制片６２と反対側に位置するように設けられ、第２の位置決め突起６７ｃは、第２の位置規制片６３と反対側に位置するように、略Ｌ字をなすように連続して設けられている。
【００４６】
外筐３５がベースユニット３２のフレーム３７に取り付けられたとき、撮像ユニット５７は、取付部６１に図８乃至図１０に示すように位置決めされることになる。先ず、位置決め部材６７の押圧部６７ａは、図１０に示すように、撮像ユニット５７の表面部５７ａを押圧する。すると、取付部６１の底面部６４と撮像ユニット５７の裏面部５７ｄとの間に介在する第１の弾性材５７ｇには、反発力が発生する。これにより、押圧部６７ａに押圧された撮像ユニット５７は、取付部６１において、厚さ方向（Ｚ方向）の位置決めがされることになる。
【００４７】
また、第１の位置決め突起６７ｂは、図９に示すように、撮像ユニット５７の側面部５７ｆと対向する側面部５７ｈの表面部５７ａ側に当接し、第１の位置規制片６２側に押圧する。ここで、図９に示すように、第１の位置規制突起６７ｂの先端部は、撮像ユニット５７の側面部５７ｈ側にＣ面又はＲ面部６７ｄが設けられることによって、円滑に撮像ユニット５７の側面部５７ｈを第１の位置規制片６２側に押圧することができるようにしている。すると、取付部６１の第１の位置規制片６２と撮像ユニット５７の側面部５７ｆとの間に介在する第１の弾性材５７ｇには、反発力が発生する。これにより、第１の位置規制突起６７ｂに押圧された撮像ユニット５７は、取付部６１において、長さ方向（Ｘ方向）の位置決めがされることになる。
【００４８】
更に、第２の位置決め突起６７ｃは、図１０に示すように、撮像ユニット５７の短辺の側面部５７ｂと対向する側面部５７ｉの表面部５７ａ側に当接し、第２の位置規制片６３側に押圧する。ここで、図１０に示すように、第１の位置規制突起６７ｂの先端部は、撮像ユニット５７の側面部５７ｉとは反対側にＣ面又はＲ面部６７ｅが設けられることによって、第２のプリント配線基板３４との間に円滑に進入し、撮像ユニット５７の側面部５７ｉを第２の位置規制片６３側に押圧することができるようにしている。すると、取付部６１の第２の位置規制片６３と撮像ユニット５７の側面部５７ｂとの間に介在する第２の弾性材６５には、反発力が発生する。これにより、第２の位置規制突起６７ｃに押圧された撮像ユニット５７は、取付部６１において、幅方向（Ｙ方向）の位置決めがされることになる。
【００４９】
以上のように、撮像ユニット５７は、外筐３５がベースユニット３２のフレーム３７に取り付けられたとき、取付部６１において、取付部６１の底面部６４、第１の位置規制片６２及び第２の位置規制片６３に突き当てられることによって、Ｘ、Ｙ、Ｚの３方向に正確に位置決めがされ、撮像ユニット５７のレンズ部１３ａと外筐３５のレンズ孔６６との位置を一致させることができる。図１１に示すように、フレーム３７への外筐３５の取付は、図１、図２及び図４に示すように、装置本体１１の一方の側面部１１ｂ側に、第１のプリント配線基板３３に実装された第１のジャック部１７が設けられていることから、図１１に示すように、第１のジャック部１７を外筐３５の取付孔３５ａに取り付けるようにしてから、ベースユニット３２を覆うように取り付けられる。このとき、外筐３５の裏面に設けられた位置決め部材６７の第１及び第２の位置決め突起６７ｂ，６７ｃは、手前側、すなわち外筐３５をベースユニット３２に取り付ける際の回動支点側に設けられていることから、円滑に、撮像ユニット５７の側面部５７ｄ，５７ｉを押圧するように取り付けることができる。また、撮像ユニット５７と第２のプリント配線基板３４とを接続する制御用及び画像用のフレキシブル配線基板５９，６０は、撮像ユニット５７がベースユニット３２側の取付部６１に取り付けられていることから、長さを短くすることができ、制御用及び画像用のフレキシブル配線基板５９，６０が組立作業の邪魔になることを防止することができる。
【００５０】
ところで、この撮像ユニット５７のシャッタボタン１５は、図１２に示すように、装置本体１１の背面側であって、撮像部１３が設けられた側とは反対側の他方の側面部１１ｃ側に設けられ、撮影時、シャッタボタン１５を押圧する際にその手がレンズ部１３ａに写り込まないようにされている。このシャッタボタン１５は、シャッタチャンスを逃さないようにするためにも、指で確実に押圧操作することができるように、その横の電源ボタン１６より大きく略楕円状に形成されている。
【００５１】
このシャッタボタン１５の押しボタン機構７１の構成について、図１３を参照して説明する。この押しボタン機構７１は、ユーザによって押圧操作される操作ボタン７２と、この操作ボタンに押圧されるスイッチ素子７３ａが実装されたスイッチ基板７３と、操作ボタン７２を装置本体１１外に突出する方向に付勢する弾性体７４とを有する。
【００５２】
操作ボタン７２は、操作する指が装置本体１１の他方の側面部１１ｃ側から延在するため、装置本体１１の幅方向を長軸となす略楕円状の操作部７２ａが形成されている。この操作部７２ａは、外筐３５に設けられた開口部３５ｂより外部と臨むように膨出して形成されている。この操作部７２ａの内部略中央には、スイッチ基板７３のスイッチ素子７３ａを押圧する押圧子７２ｂが形成されている。また、操作部７２ａの外周部には、外筐３５の開口部３５ｂの周縁部に係止されるフランジ状の係止部７２ｃが形成されている。なお、操作ボタン７２は、装置本体１１の厚さ方向を長軸とするように取り付けられても良い。
【００５３】
スイッチ基板７３は、フレーム３７と略同じ幅のリジッドなプリント配線基板であり、シャッタボタン１５に対応したスイッチ素子７３ａが実装されている。このスイッチ素子７３ａは、操作ボタン７２の押圧子７２ｂに押圧される。スイッチ基板７３は、複数のねじ７３ｂによって、フレーム３７に固定されることになる。
【００５４】
操作ボタン７２の操作部７２ａの内側は、略楕円状の凹部７２ｄとなっており、この凹部７２ｄには、ボタン部材７２を外筐３５の開口部３５ｂより突出する方向に付勢する弾性体７４が配設される。この弾性体７４は、コイルバネであり、操作部７２ａの形状に対応して線材が略楕円をなすように巻回され、更に、一端側から他端側に向かって縮径するように形成されている。この弾性体７４は、一端側の大径部７４ａが操作ボタン７２の凹部７２ｄに配されることになる。このような弾性体７４は、広い面積の大径部７４ａで操作ボタン７２が操作された際の押圧力を受けることから、操作ボタン７２の操作部７４ａが例えば斜め方向から押された際に確実に収縮し、操作ボタン７２がスイッチ基板７３に対して垂直方向に移動するようにする。また、弾性体７４は、一端側が大径部７４ａで他端側を小径部７４ｂで構成したことにより、収縮した際、大径部７４ａ内に小径部７４ｂが入り込むことになり、これにより、一端と他端が同径のコイルバネに比べて収縮時の厚さを薄くすることができる。
【００５５】
この弾性体７４は、スイッチ基板７３と操作ボタン７２との間に配設される受け部材７５によって支持される。この受け部材７５は、弾性体７４の大径部７４ａと反対側の小径部７４ｂが突き当てられる受け部７５ａと、この受け部７５ａと一体的で受け部７５ａに対して略垂直に延出した取付片７５ｂとを備え、取付片７５ｂが外筐３５の裏面に用着等によって固定されることによって、操作ボタン部材７２の凹部７２ｄと受け部７５ａとの間に弾性体７４を収縮した状態で挟み込む。また、受け部材７５は、外筐３５の裏面に設けられた取付突起７５ｅに取付孔７５ｆを挿通し、先端部を溶融することによって取り付けられる。
【００５６】
この受け部７５ａには、操作ボタン７２の押圧子７２ｂが挿通される貫通孔７５ｃが形成され、押圧子７２ｂが貫通孔７５ｃを挿通することによって、スイッチ基板７３のスイッチ素子７３ａを押圧することができる。また、この受け部７５ａには、スイッチ基板７３と対向する面側に支持突起７５ｄが一対設けられている。一対の支持突起７５ｄは、スイッチ基板７３のスイッチ素子７３ａの両側に当接し、スイッチ素子７３ａと受け部７５ａとの間隙を確保する。
【００５７】
以上のような押しボタン機構７１では、ボタン部材７２、弾性体７４、受け部材７５までが外筐３５の裏面に取り付けられる部材であり、スイッチ基板７３がベースユニット３２を構成するフレーム３７に取り付けられる部材となっている。そして、このスイッチ基板７３は、第１のプリント配線基板３３又は第２のプリント配線基板３４にフレキシブル配線基板７３ｃによって電気的に接続されることになる。このフレキシブル配線基板７３ｃは、スイッチ基板７３がフレーム３７に固定されることで、スイッチ基板７３を外筐３５側に取り付けられた場合より短くすることができ、組立を容易にすることができる。
【００５８】
以上のように構成された押しボタン機構７１は、図１４に示すように、操作ボタン７２が外筐３５の裏面側から操作部７２ａが外筐３５の開口部３５ｂより外部に臨み、フランジ状の係止部７２ｃが開口部３５ｂの周縁部に外筐３５の裏面側から係止されるように組み付けられる。また、弾性体７４は、大径部７４ａが操作部７２ａの内側の凹部７２ｄに配される。そして、受け部材７５が弾性体７４を操作ボタン７２との間で挟み込むように外筐３５の裏面に固定される。このとき、操作ボタン７２の押圧子７２ｂは、受け部材７５の貫通孔７５ｃに挿通される。一方、スイッチ素子７３ａが実装されたスイッチ基板７３は、フレーム３７に固定され、フレキシブル配線基板７３ｃによって第１のプリント配線基板３３又は第２のプリント配線基板３４に電気的に接続される。
【００５９】
ベースユニット３２に外筐３５が組み付けられたとき、操作ボタン７２は、弾性体７４の付勢力によって、開口部３５ｂより突出する方向に付勢され、操作ボタン７２の押圧子７２ｂは、スイッチ素子７３ａから離間した状態になっている。操作ボタン７２がユーザによって押されると、弾性体７４が収縮し、押圧子７２ｂがスイッチ基板７３のスイッチ素子７３ａを押圧し、これにより、シャッタが切られることになる。そして、ユーザによる操作ボタン７２の押圧が解除されると、操作ボタン７２は、再度、弾性体７４の付勢力により外筐３５より突出し、押圧子７２ｂは、スイッチ基板７３のスイッチ素子７３ａから離間することになる。
【００６０】
以上のように構成された押しボタン機構７１によれば、操作ボタン７２に加わる押圧力を弾性体７４の大径部７４ａで受けるようにしたので、操作ボタン７２が例えば斜めの方向から押されたときであっても、確実にスイッチ基板７３に対して垂直に沈み込むことができ、これにより、押圧子７２ｂでスイッチ基板７３のスイッチ素子７３ａを押圧することができる。また、この押しボタン機構７１は、弾性体７４を一端側を大径部７４ａとし他端側を小径部７４ｂとしたので、収縮時、大径部７４ａ内に小径部７４ｂが入り込むことになり、これにより、全体の薄型化を図ることができる。更に、この押しボタン機構７１は、スイッチ素子７３ａが実装されるスイッチ基板７３を、外筐３５側に固定するのではなく、ベースユニット３２を構成するフレーム３７側に固定するようにしたので、スイッチ基板７３と第１のプリント配線基板３４又は第２のプリント配線基板３４とを電気的に接続するフレキシブル配線基板７３ｃを短くすることができ、ベースユニット３２へ外筐３５を取り付ける際の組立作業を容易にすることができる。
【００６１】
なお、この押しボタン機構７１は、シャッタボタン１５の他のボタンに適用することもできる。
【００６２】
ところで、図４及び図５に示すように、外筐３５と共に装置本体１１の外装の一部を構成する帯状部材３６は、合成樹脂によってモールド成形され、更に表面にニッケルメッキ等の金属メッキにより導電処理が施され、ベースユニット３２を構成するフレーム３７に取り付けられる。具体的に、この帯状部材３６は、図１乃至図５に示すように、この帯状部材３６は、装置本体１１を構成する外筐３５の側縁部に沿って配設されるものであり、装置本体１１の背面部１１ｄ側の第１の辺に取り付けられ、更に、第１のジャック部１７が設けられた装置本体１１の一方の側面部１１ｂ側の第２の辺に取り付けられ、更に、第２のジャック部２２が設けられた装置本体１１の前面部１１ｅ側の第３の辺に取り付けられるように構成されており、全体として、略Ｃ字状をなすように形成されている。
【００６３】
略Ｃ字状をなす帯状部材３６の第１の片３６ａは、装置本体１１の背面部１１ｄ側に取り付けられる片となる。図１５に示すように、ベースユニット３２では、光ピックアップ４３に連結部材４５によって磁気ヘッド機構４６が取り付けられ、この磁気ヘッド機構４６の磁気ヘッドスライダ４６ｂは、記録用フレキシブル配線基板５８によって、ベースユニット３２に取り付けられた第１のプリント配線基板３３の背面側に設けられた記録回路３３ａに電気的に接続されることになる。したがって、記録用フレキシブル配線基板５８は、装置本体１１に回動可能に取り付けられる蓋体１２のヒンジを跨ることになる。装置本体１１の背面部１１ｄには、上述のように、シャッタボタン１５のためのスイッチ基板７３がフレーム３７に固定されており、したがって、記録用フレキシブル配線基板５８は、このスイッチ基板７３の上を跨ぐようにして配されることになる。上述のように、記録用フレキシブル配線基板５８や第１のプリント配線基板３３の記録回路３３ａでは、記録電流チョッパー周波数が１８．５４ＭＨｚ（電流量約２４０ｍＡ）と極めて高くなっており、記録用フレキシブル配線基板５８の部分の不要輻射ノイズも極めて高くなる。そこで、スイッチ基板７３には、記録用フレキシブル配線基板５８の両側に、ノイズ対策部品として、例えばフェライトビーズ７３ｅが一又は複数実装されている。このフェライトビーズ７３ｅは、フェライト材料（Ｆｅと金属の複合酸化物）のインピーダンス成分の周波数特性を利用して、放射雑音の発生源となる信号を低減させ、これにより、電気的誤動作を防止する。なお、ノイズ対策部品としては、このフェライトビーズに限定されるものではない。
【００６４】
なお、スイッチ基板７３には、シャッタボタン１５のスイッチ素子７３ａに並んで電源ボタン１６のスイッチ素子７３ｆが実装されている。
【００６５】
以上のように、装置本体１１の背面部１１ｄは、図１５に示すように、不要輻射ノイズの外部への放射源となる一方で、装置本体１１と蓋体１２のヒンジとなり、蓋体１２を回動させるための隙間が発生する部分でもある。そこで、上述した帯状部材３６の第１の片３６は、記録用フレキシブル配線基板５８の上側であって外筐３５の内側に配設して、ヒンジ部分から外部に不要輻射ノイズが放射されないようにする。なお、この第１の片３６ａは、外筐３５内に配設されるものであるから、外装の一部を構成するものではない。
【００６６】
帯状部材３６では、図４、図５及び図１５に示すように、第１の片３６ａと略直角に、装置本体１１の一方の側面部１１ｂに延在される第２の片３６ｂが設けられている。装置本体１１の一方の側面部１１ｂには、上述したようにイヤホン、ヘッドホン等の電気音響変換器の接続コードが接続される第１のジャック部１７が配設される。この第１のジャック部１７は、具体的に、第１のプリント配線基板３３に実装される。第１のジャック部１７には、電気音響変換器の接続コードのコネクタが接続される。したがって、接続コードが接続されたときには、この部分がアンテナともなる。そこで、この装置本体１１の側面部１１ｂを構成する外筐３５の第２の辺には、第２の片３６ｂを取り付けるようにし、不要輻射ノイズが外部に放射されることを防止し、第１のジャック部１７に接続された接続コードに悪影響を与えないようにする。また、この第２の片３６ｂには、幅方向略中央に、突条部３６ｃが設けられている。この突条部３６ｃは、外部に露出し、装置本体１１の側面部１１ｂの一部を構成する。
【００６７】
更に、帯状部材３６では、図４及び図５に示すように、第２の片３６ｂと略直角に、装置本体１１の前面部１１ｅに延在される第３の片３６ｄが設けられている。装置本体１１の前面部１１ｅには、上述したようにパーソナルコンピュータ等からオーディオデータ等のコンテンツデータをダウンロードするための接続コードが接続される第２のジャック部２２が設けられている。この第２のジャック部２２は、具体的に、第１のプリント配線基板３３に実装される。第２のジャック部２２には、パーソナルコンピュータと接続する接続コードのコネクタが接続される。したがって、接続コードが接続されたときには、この部分がアンテナともなる。そこで、この装置本体１１の前面部１１ｅを構成する外筐３５の第３の辺には、第３の片３６ｄを取り付けるようにし、不要輻射ノイズが外部に放射されることを防止し、第２のジャック部２２に接続された接続コードに悪影響を与えないようにする。また、この第３の片３６ｄには、幅方向略中央に、突条部３６ｅが設けられている。この突条部３６ｅは、外部に露出し、装置本体１１の前面部１１ｅの一部を構成する。
【００６８】
以上のように構成された略コ字状の帯状部材３６は、両端部を広げるようにして、ベースユニット３２の第１のジャック部１７が設けられた側からヒンジとなる背面側及び第２のジャック部２２が設けられた前面側を挟み込むようにし、フレーム３７に係止されることによってフレーム３７に取り付けられることになる。そして、ベースユニット３２に外筐３５が取り付けられたときには、第２及び第３の片３６ｂ，３６ｄの突条部３６ｃ，３６ｅが外筐３５の端面に位置し、蓋体１２との境界部分となる。このような装置本体１１において、他方の側面部１１ｃには、帯状部材３６が存在しないことになるが、この他方の側面部１１ｃには、接続コード等が接続される部材もないことから、アルミニウム合金、マグネシウム合金等の金属材料で形成された外筐３５のみで不要輻射ノイズの放射を抑えることができる。
【００６９】
以上のように構成されたディスク記録再生装置１０では、ディスクカートリッジ１の記録再生機能に加え、撮像機能を設けたことによって利便性の向上を図ることができる。携帯型のディスク記録再生装置１０において、従来からのディスクカートリッジ１の記録再生機能に加えて撮像機能を加えたことによって、装置本体１１内には、撮像ユニット５７を配設することになるが、ベースユニット３２には、図５に示すように、ディスク回転駆動機構４１を挟んで光ピックアップ４３の反対側に配設され、効率的な部品配置がされることから、従来のディスクカートリッジ１のディスク記録再生装置と比較しても大型化を最小限に留めることができる。このディスク記録再生装置１０においては、撮像ユニット５７を装置本体１１の一方の側面部１１ｂ側に設け、シャッタボタン１５を他方の側面部１１ｃ側に設けたので、シャッタボタン１５を操作する際に、操作する指等が撮像部１３のレンズ部１３ａに写り込んでしまうことも防止することができる。
【００７０】
このシャッタボタン１５では、上述した押しボタン機構７１を採用することによって、操作ボタン７２を大型化しつつも、弾性体７４を一端側を大径部７４ａとし他端側を小径部７４ｂとしたことにより、確実に、操作ボタン７２の下側にあるスイッチ素子７３ａを押圧することができ、例えばシャッタチャンスを逃すことを防止することができる。また、シャッタボタン１５は、長押しすることによってフォーカス調整を行う機能を備えることがあるが、この長押しの場合であっても、操作ボタン７２を押したとき、確実にスイッチ素子７３ａを押圧することができる。また、押しボタン機構７１に用いられる弾性体７４は、一端側を大径部７４ａとし他端側を小径部７４ｂとしていることから、収縮時において、直径が同位置の通常のコイルバネと比べ厚さを薄くすることができ、装置本体１１の全体としての小型化に寄与することができる。
【００７１】
また、このディスク記録再生装置１０に用いられるディスクカートリッジ１は、オーディオデータ等の他に撮像部１３で撮像した画像データも保存されることになり、データが高密度記録される。ディスクカートリッジ１にデータを記録する場合、記録周波数も高くなり、これに伴い、不要輻射ノイズも通常の記録密度でディスクカートリッジにデータを記録するディスク記録再生装置より高くなる。本発明を適用したディスク記録再生装置１０では、特に高周波数の不要輻射ノイズが放射される磁気ヘッド機構４６と第１のプリント配線基板３３の記録回路３３ａとを接続する記録用フレキシブルプリント配線基板５８が位置する部分、すなわち装置本体１１の背面部１１ｄに帯状部材３６の第１の片３６ａを配するようにしたので、特に、蓋体１２のヒンジ部分から不要輻射ノイズが放射されることを防止することができる。
【００７２】
また、この装置本体１１の背面部１１ｄは、記録用フレキシブルプリント配線基板５８が配される部分であると共にシャッタボタン１５のためのスイッチ基板７３が配される部分である。しかしながら、スイッチ基板７３には、不要輻射ノイズ対策部品として、フェライトビーズ７３ｅが実装されていることから、スイッチ基板７３を介して装置全体が誤動作することを防止することもできる。
【００７３】
なお、以上、本発明を適用したディスク記録再生装置を例にとり説明したが、本発明を適用した押しボタン機構は、スチルカメラ、ビデオカメラ、ディスプレイ、プリンタ等の種々の電気機器の押しボタンに適用することができる。
【図面の簡単な説明】
【００７４】
【図１】ディスク記録再生装置を装置本体側から見た斜視図である。
【図２】ディスク記録再生装置を装置本体側から見た斜視図であり、カバーシャッタが開放され撮像部が露出した状態を示す図である。
【図３】ディスク記録再生装置を蓋体側から見た斜視図である。
【図４】ディスク記録再生装置の分解斜視図である。
【図５】装置本体内のベースユニットの部品配置を示す平面図である。
【図６】ベースユニットを構成する記録再生ユニットの斜視図である。
【図７】撮像ユニットの取付構造を示す分解斜視図である。
【図８】撮像ユニットが取付部に取り付けられた状態を示す平面図である。
【図９】撮像ユニットが取付部に取り付けられた状態を示す図８のＩ−Ｉ断面図である。
【図１０】撮像ユニットが取付部に取り付けられた状態を示す図８のＩＩ−ＩＩ断面図である。
【図１１】外筐をベースユニットに取り付ける状態を示す側面図である。
【図１２】シャッタボタンの斜視図である。
【図１３】シャッタボタンのボタン機構を示す分解斜視図である。
【図１４】シャッタボタンのボタン機構の断面図である。
【図１５】ベースユニットを背面側から見た斜視図である。
【符号の説明】
【００７５】
１  ディスクカートリッジ、２  光磁気ディスク、１０  ディスク記録再生装置、１１  装置本体、１１ａ  主面部、１１ｂ，１１ｃ  側面部、１１ｄ  背面部、１１ｅ  前面部、１２  蓋体、１３  撮像部、１３ａ  レンズ部、１５  シャッタボタン、１６  電源ボタン、１７  第１のジャック部、２２  第２のジャック部、３２  ベースユニット、３３  第１のプリント配線基板、３３ａ  記録回路、３４  第２のプリント配線基板、３４ｂ  グランド層、３５  外筐、３６  帯状部材、３６ａ  第１の片、３６ｂ  第２の片、３６ｃ  突条部、３６ｄ  第３の片、３６ｅ  第３の片、３６ｆ  突条部、３７  フレーム、３９  取付板、４１  ディスク回転駆動機構、４１ａ  スピンドルモータ、４１ｂ  ディスクテーブル、４２  光ピックアップ用開口部、４３  光ピックアップ、４４  送り機構、４４ａ  モータ、４４ｂ  送りねじ、４５  連結部材、４６  磁気ヘッド機構、４６ａ  ヘッド支持アーム、４６ｂ  ヘッドスライダ、４７  バッテリケース、５１  カートリッジホルダ、５１ａ  主面部、５１ｂ，５１ｃ  カートリッジ保持部、５３  磁気ヘッド用開口部、５４  回動アーム、５７  撮像ユニット、５７ａ  表面部、５７ｂ  側面部、５７ｃ  端子部、５７ｄ  裏面部、５７ｅ  端子部、５７ｆ  側面部、５７ｇ  第１の弾性材、５７ｈ  側面部、５７ｉ  側面部、５８  記録用フレキシブル配線基板、５９  制御用フレキシブル配線基板、６０  画像用フレキシブル配線基板、６１  取付部、６２  第１の位置規制片、６３  第２の位置規制片、６４  底面部、６５  第２の弾性材、６６  レンズ孔、６７  位置決め部材、６７ａ  押圧部、６７ｂ  第１の位置決め突起、６７ｃ  第２の位置決め突起、６７ｄ，６７ｅ  Ｃ面又はＲ面部、７１  押しボタン機構、７２  操作ボタン、７２ａ  操作部、７２ｂ  押圧子、７２ｃ  係止部、７２ｄ  凹部、７３  スイッチ基板、７３ａ  スイッチ素子、７３ｃ  フレキシブル配線基板、７３ｅ  フェライトビーズ、７４  弾性体、７４ａ  大径部、７４ｂ  小径部、７５  受け部材、７５ａ  受け部、７５ｃ  貫通孔、７５ｄ  支持突起
【図１】
2006164576.tif 000003
【図２】
2006164576.tif 000004
【図３】
2006164576.tif 000005
【図４】
2006164576.tif 000006
【図５】
2006164576.tif 000007
【図６】
2006164576.tif 000008
【図７】
2006164576.tif 000009
【図８】
2006164576.tif 000010
【図９】
2006164576.tif 000011
【図１０】
2006164576.tif 000012
【図１１】
2006164576.tif 000013
【図１２】
2006164576.tif 000014
【図１３】
2006164576.tif 000015
【図１４】
2006164576.tif 000016
【図１５】
2006164576.tif 000017